(57)【特許請求の範囲】
【請求項１】
リニアモードにおいて、ベースバンド同相（ＢＢ Ｉ）信号と局部発振同相（ＬＯ Ｉ）信号とを第１のミキサ（ｐｒｉｍａｒｙ ｍｉｘｅｒ）を用いて混合させることと、
前記リニアモードにおいて、ベースバンド直交（ＢＢ Ｑ）信号と局部発振直交（ＬＯ Ｑ）信号とを第２のミキサ（ｓｅｃｏｎｄａｒｙ ｍｉｘｅｒ）を用いて混合させることと、
前記リニアモードにおいて、アップコンバートされた信号を生成するため、前記第１及び第２のミキサの出力を組み合わせる（ｃｏｍｂｉｎｉｎｇ）ことと、
ポーラモード（ｐｏｌａｒ）において、ベースバンド振幅（ＢＢ）信号と位相変調（ｐｈａｓｅ−ｍｏｄｕｌａｔｅｄ）局部発振（ＬＯ）信号とを前記第１のミキサを用いて混合させることと
を具備するベースバンド信号をアップコンバートする方法。
【請求項２】
前記ポーラモードにおいて、前記第２のミキサを停止させること、を更に具備する請求項１の方法。
【請求項３】
前記ポーラモードにおいて、前記ＢＢ信号と前記ＬＯ信号とを前記第２のミキサを用いて混合させること、を更に具備する請求項１の方法。
【請求項４】
前記リニアモードにおいて前記ＢＢ Ｑ信号と前記ＬＯ Ｑ信号とを前記第２のミキサを用いて混合させることは、前記第２のミキサの第１の差動入力を前記ＢＢ Ｑ信号に結合させること、を具備し、
前記ポーラモードにおいて前記ＢＢ信号と前記ＬＯ信号とを前記第２のミキサを用いて混合させることは、前記第２のミキサの前記第１の差動入力を前記ＢＢ信号に結合させること、を具備する請求項３の方法。
【請求項５】
前記第２のミキサの前記第１の差動入力を前記ＢＢ Ｑ信号に結合することと、前記第２のミキサの前記第１の差動入力を前記ＢＢ信号に結合すること、はスイッチを構成させること、を具備する請求項４の方法。
【請求項６】
前記リニアモードにおいて、第１デジタル出力でデジタルベースバンド同相信号をデジタル生成することと、
前記ポーラモードにおいて、前記第１デジタル出力でデジタルベースバンド振幅信号をデジタル生成することと、
前記第１デジタル出力での前記デジタルベースバンド同相信号又は前記デジタルベースバンド振幅信号を第１のアナログ信号に変換することと、
前記第１のアナログ信号を前記第１のミキサの第１の差動入力に結合することと、を更に具備する請求項４の方法。
【請求項７】
前記リニアモードで、第２デジタル出力においてデジタルベースバンド直交信号をデジタル生成することと、
前記ポーラモードで、前記第２デジタルの出力においてデジタルベースバンド振幅信号をデジタル生成することと、
前記第２デジタル出力の前記デジタルベースバンド直交信号又は前記デジタルベースバンド振幅信号を第２のアナログ信号に変換することと、
前記第２のアナログ信号を、前記第２のミキサの前記第１の差動入力に結合することと、を更に具備する請求項６の方法。
【請求項８】
前記リニアモードにおいて前記ＢＢ Ｑ信号と前記ＬＯ Ｑ信号とを前記第２のミキサを用いて混合させることは、前記第２のミキサの第２の差動入力を前記ＬＯ Ｑ信号に結合させること、を具備し、
前記ポーラモードにおいて前記ＢＢ信号と前記ＬＯ信号とを前記第２のミキサを用いて混合させることは、前記第２のミキサの前記第２の差動入力を前記ＬＯ信号に結合させること、を具備する請求項３の方法。
【請求項９】
前記第２のミキサの前記第２の差動入力を前記ＬＯ Ｑ信号に結合することと、前記第２のミキサの前記第２の差動入力を前記ＬＯ信号に結合すること、はスイッチを構成させること、を具備する請求項８の方法。
【請求項１０】
前記第１及び前記第２のミキサの前記出力を組み合わせることは、前記第１及び前記第２のミキサの差動出力を単一のバランに結合すること、を具備する請求項３の方法。
【請求項１１】
前記単一のバランを用いて８００ＭＨｚから２ＧＨｚまでの周波数レンジに前記ベースバンド信号をアップコンバートすること、を更に具備する請求項１０の方法。
【請求項１２】
前記第１のミキサ及び前記第２のミキサの各々は複数のサブミキサを具備し、
前記方法は、
必要とされる送信利得に応じて前記第１及び第２のミキサの前記サブミキサの少なくとも１つを選択的に有効にすること、を更に具備する請求項３の方法。
【請求項１３】
前記複数のサブミキサの各々の前記第２の入力が、対応する局部発振バッファに結合され、
前記方法は、
必要とされる送信利得に応じて前記局部発振バッファの少なくとも１つを選択的に有効にすること、を更に具備する請求項１２の方法。
【請求項１４】
前記複数のサブミキサの各々は、同一のサイズを有する請求項１２の方法。
【請求項１５】
リニアモードで、ベースバンド同相（ＢＢ Ｉ）信号と局部発振同相（ＬＯ Ｉ）信号とを混合するよう構成され、ポーラモードで、ベースバンド振幅（ＢＢ）信号と位相変調（ｐｈａｓｅ−ｍｏｄｕｌａｔｅｄ）局部発振（ＬＯ）信号とを混合させるよう更に構成された第１のミキサ（ｐｒｉｍａｒｙ ｍｉｘｅｒ）と、
前記リニアモードで、ベースバンド直交（ＢＢ Ｑ）信号と局部発振直交（ＬＯ Ｑ）信号とを混合させるよう構成された第２のミキサ（ｓｅｃｏｎｄａｒｙ ｍｉｘｅｒ）と、
前記リニアモードにおいて、アップコンバートされた信号を生成するため、前記第１のミキサの出力と前記第２のミキサの出力とを組み合わせられることで得られる出力と
を具備するベースバンド信号をアップコンバートするための装置。
【請求項１６】
前記第２のミキサは、前記ポーラモードにおいて、前記ＢＢ信号と前記ＬＯ信号とを混合させるよう更に構成される請求項１５の装置。
【請求項１７】
前記第１及び第２のミキサの出力に結合されるバランを更に具備する請求項１６の装置。
【請求項１８】
前記第２のミキサは、前記リニアモードにおいて前記ＢＢ Ｑ信号に結合され、前記ポーラモードで前記ＢＢ信号に結合される第１の差動入力を具備する請求項１５の装置。
【請求項１９】
前記リニアモードで、前記第２のミキサの前記第１の差動入力を、前記ＢＢ Ｑ信号に結合させ、前記ポーラモードで、前記ＢＢ信号に結合させるスイッチを更に具備する請求項１８の装置。
【請求項２０】
前記リニアモードにおいて、第１デジタル出力でデジタルベースバンド同相信号をデジタル生成し、
前記ポーラモードにおいて、前記第１デジタル出力でデジタルベースバンド振幅信号をデジタル生成するよう構成されたデジタルモジュールを更に具備し、
前記装置は、
前記第１デジタル出力において、前記デジタルベースバンド同相信号又は前記デジタルベースバンド振幅信号を、前記第１のミキサの第１の差動入力と結合される第１のアナログ信号へと変換する第１のデジタル−アナログ変換器
を更に具備する請求項１８の装置。
【請求項２１】
前記リニアモードにおいて、第２デジタル出力でデジタルベースバンド直交信号をデジタル生成し、
前記ポーラモードにおいて、前記第２デジタル出力で前記デジタルベースバンド振幅信号をデジタル生成するよう構成されたデジタルモジュールを更に具備し、
前記装置は、
前記第２デジタル出力において、前記デジタルベースバンド直交信号又は前記デジタルベースバンド振幅信号を前記第２のミキサの前記第１の差動入力に結合する第２のアナログ信号へと変換する第２のデジタル−アナログ変換器を
更に具備する請求項２０の装置。
【請求項２２】
前記第２のミキサは、前記リニアモードにおいて前記ＬＯ Ｑに結合し、前記ポーラモードにおいて前記ＬＯ信号に結合する第２の差動入力を具備する請求項１５の装置。
【請求項２３】
前記リニアモードにおいて前記ＬＯ Ｑ信号を、前記ポーラモードにおいて前記ＬＯ信号を、前記第２のミキサの前記第２の差動入力に結合するスイッチを更に具備する請求項２２の装置。
【請求項２４】
前記バランは、８００ＭＨｚから２ＧＨｚまでの周波数レンジにおいて動作するよう構成される請求項１７の装置。
【請求項２５】
前記第１のミキサ及び前記第２のミキサの各々は、複数のサブミキサを具備し、
前記装置は、
必要とされる送信利得に応じて、前記第１及び前記第２のミキサの前記サブミキサのうち少なくとも１つを選択的に有効とするよう構成される請求項１５の装置。
【請求項２６】
前記複数のサブミキサの各々の前記第２入力は、対応する局部発振バッファに結合され、
前記装置は、
前記必要とされる送信利得に応じて前記局部発振バッファの少なくとも１つを選択的に有効とするよう更に構成される請求項２５の装置。
【請求項２７】
前記複数のサブミキサの各々は、同一のサイズとされる請求項２５の装置。
【請求項２８】
リニアモードにおいて、ベースバンド同相（ＢＢ Ｉ）信号を局部発振同相（ＬＯ Ｉ）信号と混合させ、ポーラモードにおいて、ベースバンド振幅（ＢＢ）信号と局部発振（ＬＯ）信号とを混合させる第１手段（ｐｒｉｍａｒｙ ｍｅａｎｓ）と、
リニアモードにおいて、ベースバンド直交（ＢＢ Ｑ）信号と局部発振直交（ＬＯ Ｑ）信号とを混合し、前記ポーラモードにおいて前記ＢＢ信号と前記ＬＯ信号とを混合させる第２手段（ｓｅｃｏｎｄａｒｙ ｍｅａｎｓ）と、
前記リニアモードにおいて、アップコンバートされた信号を生成するため前記第１及び第２手段による出力を組み合わせる手段と
を具備するベースバンド信号をアップコンバートするための装置。
【請求項２９】
送信器にベースバンド信号をアップコンバートするよう指示するコンピュータ読み取り可能な記憶媒体であって、
前記送信器は、
第１のベースバンド信号と第１の局部発振信号とを乗算する第１のミキサ（ｐｒｉｍａｒｙ ｍｉｘｅｒ）と、第２のベースバンド信号と第２の局部発振信号とを乗算する第２のミキサ（ｓｅｃｏｎｄａｒｙ ｍｉｘｅｒ）とを具備し、
前記コンピュータ読み取り可能な記憶媒体は、
前記リニアモードにおいてコンピュータに第１のベースバンド信号としてベースバンド同相信号をデジタル生成させるためのコードと、前記ポーラモードにおいて、コンピュータに第１のベースバンド信号としてベースバンド振幅信号をデジタル生成させるコードと、前記リニアモードにおいてコンピュータに前記第２のベースバンド信号としてデジタルのベースバンド直交信号をデジタル生成させるコードと、前記リニアモードにおいてコンピュータにアップコンバートされた信号を生成するため、前記第１のミキサと、前記第２のミキサと、の出力を組み合わせるコードとを具備するコンピュータ読み取り可能な記憶媒体。
【請求項３０】
前記ポーラモードにおいて、コンピュータに前記第２のベースバンド信号としてデジタルのベースバンド振幅信号をデジタル生成させるコードを更に具備する請求項２９のコンピュータ読み取り可能な記憶媒体。
【発明の詳細な説明】
【技術分野】
【０００１】
本開示は、集積回路（ＩＣ）に関し、より具体的には、リニア及びポーラ動作のデュアルモードを可能とする送信器回路の設計技術に関する。
【背景技術】
【０００２】
現代の無線通信装置は、たいてい、別個の通信プロトコルまたは通信規格のうちの１つを用いて、複数の無線周波数帯域で信号の送受信をサポートする。例えば、単一の携帯電話は携帯電話技術の為のＷＣＤＭＡ、ＣＤＭＡ、ＧＳＭ（登録商標）、ＥＤＧＥ、及びＬＴＥ（登録商標）規格の全て又は任意のものを用い、このような通信の為に割り当てられたあらゆる周波数帯域上で通信し得る。
【０００３】
通信装置では、無線周波数（ＲＦ）回路は、一般的に、無線送信のために、ベースバンド信号をある特定の無線周波数にアップコンバートするために設けられる。各々の周波数帯域及び／又は無線規格をサポートするＲＦ回路は典型的に、さまざまな設計の制約を満足する必要がある。例えば、ある変調フォーマットに付いては、ベースバンド信号をアップコンバートするためにリニアアーキテクチャを用いることは有利なものとなり得る。例えば、ベースバンド信号の同相及び直交成分に、局部発振信号の対応する同相及び直交成分を乗算する。或いは、別の変調フォーマットに付いては、ベースバンド信号をアップコンバートするためポーラアーキテクチャを用いることは有利なものとなり得る。例えば、実際の（ｒｅａｌ）振幅を有する単一のベースバンド信号に、さまざまな位相を有する局部発振信号を乗算させる。
【０００４】
複数の変調フォーマットに適応させるため、構成回路の不要な複製（ｒｅｐｌｉｃａｉｏｎ）を最小にしつつ、リニア及びポーラモードの両方で動作が可能な通信装置を提供することは好ましいだろう。
【発明の概要】
【０００５】
本開示の一態様は、リニアモードで、第１のミキサを用いてベースバンド同相（ＢＢ Ｉ）信号と、局部発振同相（ＬＯ Ｉ）信号とを混合させることと、リニアモードで、第２のミキサを用いて、ベースバンド直交（ＢＢ Ｑ）信号と局部発振直交（ＬＯ Ｑ）信号とを混合させることと、リニアモードで、アップコンバートされた信号を生成するために第１のミキサと第２のミキサとの出力を組み合わせることと、ポーラモードで、第１のミキサを用いてベースバンド振幅（ＢＢ）信号と位相変調局部発振（ＬＯ）信号とを混合させることと、を具備するベースバンド信号をアップコンバートするための方法を提供する。
【０００６】
本発明の別の態様は、リニアモードでベースバンド同相（ＢＢ Ｉ）信号と局部発振同相（ＬＯ Ｉ）信号とを混合させるよう構成され、更に、ポーラモードにおいて、ベースバンド振幅（ＢＢ）信号と位相変調局部発振（ＬＯ）信号とを混合させるように構成された第１のミキサと、第１のモードにおいて、ベースバンド直交（ＢＢ Ｑ）信号と局部発振直交（ＬＯ Ｑ）信号とを混合させるよう構成された第２のミキサとを具備するベースバンド信号をアップコンバートするための装置を提供する。
【０００７】
本発明の、更なる別の態様は、リニアモードでベースバンド同相（ＢＢ Ｉ）信号と局部発振同相（ＬＯ Ｉ）信号とを混合させ、ポーラモードでベースバンド振幅（ＢＢ）信号と局部発振（ＬＯ）信号とを混合させる第１手段と、リニアモードでベースバンド直交（ＢＢ Ｑ）信号と局部発振直交（ＬＯ Ｑ）信号とを混合させ、ポーラモードでＢＢ信号とＬＯ信号とを混合させる第２手段と、を具備するベースバンド信号をアップコンバートするための装置を提供する。
【０００８】
本発明の、更なる別の態様は、第１のベースバンド信号と第１の局部発振信号とを混合させる第１のミキサと、第２のベースバンド信号と第２の局部発振信号とを混合させる第２のミキサと、を具備する送信器であって、リニアモードにおいてコンピュータに第１のベースバンド信号としてベースバンド同相信号をデジタル生成させるための符号、及び第ポーラモードにおいて、コンピュータに第１のベースバンド信号としてベースバンド振幅信号をデジタル生成させる符号を具備するコンピュータで読み出し可能な媒体を具備する製品であって、ベースバンド信号をアップコンバートするため送信器に指示するためのコンピュータプログラム製品を提供する。
【図面の簡単な説明】
【０００９】
【図１】図１は、通信装置に関する周知な送信器の実装を示す。
【図２】図２は、本開示に従ったリニア及びポーラモードの両方の動作をサポートする送信器を示す。
【図３】図３は、本開示に従った送信器の典型的な一実施例を示し、２つのアップコンバートされた信号パスが提供される。
【図４】図４は、本開示に従った送信器の典型的な一実施例を示し、２つの信号パスがリニア及びポーラモード両方のために設けられる。
【図５】図５は、本開示に従った送信器の典型的な一実施例を示し、ベースバンドモジュールがデジタル出力信号ＢＢ１及びＢＢ２を生成する。
【図６】図６は、送信器の典型的な一実施例を示し、本発明の技術を実装するために、選択可能なサイズを有するミキサ及びＬＯバッファが提供される。
【図７】図７は、本開示に従った方法の典型的な一実施例を示す。
【発明を実施するための形態】
【００１０】
添付した図面と共に以下説明される詳細な説明は、本発明の実施例の詳細として意図するものであり、本発明を実施でき得る唯一の典型的な実施例を示していることを意図してはいない。この詳細な説明全体を通して使用される“典型的には”という用語は、以下“一例として、事例、または例示”を意味し、他の典型的な実施例よりも好ましく、また優れている、のように必ずしも解釈すべきではない。詳細な説明は、本発明の典型的な実施例を十分に理解させるためを目的とした具体的な詳細を含む。本発明の典型的な実施例を、当業者が、具体的な詳細なしで実施し得ることは明白である。複数の例において、周知の構造や装置は、本明細書で説明する典型的な実施例において新規なものを不明確にすることから避けるためブロック図として示される。
【００１１】
図１は、装置に関する周知の送信器１００の実装を示す。図１において、ベースバンド入力信号ＢＢ Ｉ（同相）及びＢＢ Ｑ（直交位相）が、ローパスフィルタ１０３．１及び１０３．２に供給される。両信号ＢＢ Ｉ及びＢＢ Ｑは（シングルエンドよりもむしろ）差動信号となり得、特に断りのない限り、添付した図面内では、そのような信号は、１本よりもむしろ２本の信号線を使用することによって一般的に示される。ローパスフィルタ１０３．１及び１０３．２の出力信号は、ミキサ１０４．１及び１０４．２に供給される。ミキサ１０４．１及び１０４．２は、差動局部発振信号ＬＯ Ｉ及びＬＯ Ｑとそれぞれ乗算することで、フィルタリングされたベースバンド信号をより高い周波数へと変調する。
【００１２】
ミキサ１０４．１及び１０４．２の差動出力は、バラン１０１のバラン１次素子１０１．１に組み合わされ、そして結合される。バラン１０１は、バラン１次素子１０１．１に電磁気的に結合するバラン２次素子をも含む。バラン１０１は、バラン１次素子１０１．１の両端の差動信号をバラン２次素子１０１．２のノード１０１．２ａにおけるシングルエンド信号に変換するよう機能し、バラン２次素子１０１．２の他端のノード１０１．２ｂは、接地電位に結合される。本開示の技術は、相互結合インダクタとしてバランの実装に限定する必要がないが、図１には、バラン１次及び２次素子は、相互結合インダクタとして表示される。
【００１３】
図１において、バラン２次素子１０１．２のノード１０１．２ａは増幅器１２０に結合される。そのような増幅器は、前段駆動増幅器、駆動増幅器、または電力増幅器を含み、（図示せぬ）アンテナを介して無線で送信する前に、信号を増幅する機能を実行する。
【００１４】
当業者であれば、送信器１００内の構成は単なる例示を目的として示されていること、また、送信器は一般的に図示せぬ複数の交換可能なアーキテクチャのうち任意なものを用いることで実装され得ることに気付くであろう。例えば、送信器は、バラン素子１０１を省略しても良いし、及び／又は図示せぬ付加的フィルタ、及び利得素子を取り入れても良い。本開示の技術は、図示せぬそのような代替アーキテクチャに適用可能とするために思慮される。
【００１５】
当業者であれば、添付した図面内に示した回路ブロックは機能図としてのみ意図し、ある機能がどの程度互いに集積され得るかを示していることを意味されていないことをも理解するだろう。例えば、ある典型的な実施例では、増幅器の機能を実装する個々のＩＣが設けられ得る一方、ベースバンドフィルタ、ミキサ、及びバランのすべての機能を実装する単一の集積回路（ＩＣ）が設けられ得る。或いは、別個に、又は単一のチップ内に一緒に図示された機能的な構成が全て実装され得る。そのような典型的な実施例は、本開示の範囲内に含まれるように実装される。
【００１６】
現代の無線装置において、単一の送信器は、多数の動作周波数レンジ及び／又は無線規格に適用するために設計され得る。例えば、送信器は、（ＧＳＭ８５０、ＧＳＭ９００、ＪＣＥＬＬのような無線規格に使用される）８２４−９１４ＭＨｚ、及び（ＤＣＳ、ＰＣＳ、ＩＭＴのような無線規格に使用される）１７１０−１９８０ＭＨｚのような周波数レンジに適用するために設計され得る。送信器は、複数の変調フォーマットをサポートするためにも設計され得る。例えば、ガウス最小シフトキーイング（ＧＭＳＫ）、直交増幅変調（ＱＡＭ）、直交位相シフトキーイング（ＱＰＳＫ）などである。多数の周波数レンジ、周波数規格、及び／又は周波数変調フォーマットに適用するため、単一の送信器アーキテクチャは、更に以下本明細書で説明するようにリニアモード動作またはポーラモード動作のいずれかをサポートするよう交互に構成され得る。
【００１７】
図２に、リニア及びポーラモードの両方をサポートする送信器２００の典型的な一実施例を示す。
【００１８】
リニアモードにおいて、ベースバンドモジュール２６０は、デジタルベースバンド信号ＢＢ Ｉ（デジタル）及びＢＢ Ｑ（デジタル）を、それぞれデジタル−アナログ変換器（ＤＡＣ）１５０．１及び１５０１．２に供給する。ＤＡＣ１５０．１及び１５０．２は、アナログの差動ベースバンド信号ＢＢ Ｉ（アナログ）及びＢＢ Ｑ（アナログ）を、アップコンバートモジュール２１０に出力する。ＢＢ Ｉ及びＢＢ Ｑは、送信されるべき信号の同相及び直交成分をそれぞれ含む。アップコンバージョンモジュール２１０内で、フィルタ１０３．１及び１０３．２のそれぞれによってＢＢ Ｉ及びＢＢ Ｑがフィルタリングされ、次いで、ミキサ１０４．１及び１０４．２を用いて、同相及び直交局部発振信号ＬＯ Ｉ及びＬＯ Ｑのそれぞれと乗算される。当業者であれば、リニアモードで、変調された情報が、ＢＢ Ｉ及びＢＢ Ｑ信号の振幅内に含まれていることを理解するだろう。
【００１９】
ポーラモードでは、ベースバンドモジュール２６０は、デジタルベースバンド振幅信号ＢＢ（デジタル）をＤＡＣ２５０．１に供給する。ＤＡＣ２５０．１は、アップコンバージョンモジュール２２０への入力のため単一のアナログ差動ベースバンド信号ＢＢ（アナログ）を生成する。アップコンバージョンモジュール２２０内において、ＢＢ（アナログ）は、フィルタ２０３．１によってフィルタリングされ、次いで、ミキサ２０４．１を用いて単一の局部発振信号ＬＯと乗算される。当業者であれば、ポーラモードにおいて、変調された情報が、ＬＯ信号の位相内だけでなく、ＢＢ信号の振幅内に含まれていることが理解できるだろう。
【００２０】
当業者であれば、リニアモードにおける動作とポーラモードにおける動作とを選択するために、さまざま技術が使用され得ることを理解できるだろう。例えば、（図示せぬ）典型的な一実施例において、スイッチによって、バラン１０１．１が、アップコンバージョンモジュール２１０の出力またはアップコンバージョンモジュール２２０の出力のいずれかに結合するよう提供され得る。（図示せぬ）代替的であって典型的な一実施例では、アップコンバージョンモジュール２１０、２２０のうち１つが、例えば、ベースバンドモジュール２６０によって生成された（図示せぬ）デジタル信号によって選択的にパワーオフとオンとにされ得る。そのような典型的な実施例は、本開示の範囲内に意図される。
【００２１】
図２に示された送信器２００は、リニアまたはポーラモードにおける動作をサポートし得る一方、リニアモードアップコンバージョンモジュール２１０及びポーラモードアップコンバージョンモジュール２２０のための回路の別個の実例を必要とする。構成回路の複製を最小とする、より効率的な送信器実装の提供が望まれるだろう。
【００２２】
図３は本開示に従った送信器３００を示し、リニア及びポーラモードが共に提供される単一のアップコンバージョンモジュール３１０である。アップコンバージョンモジュール３１０は、２本の信号パス３１０．１と３１０．２とを含む。
【００２３】
図３において、送信器３００がリニアモードで動作するとき、信号パス３１０．１は同相の局部発振信号ＬＯ Ｉを用いて同相のベースバンド信号ＢＢ Ｉをアップコンバートする。一方で、信号パス３１０．２は、直交の局部発振信号ＬＯ Ｑを用いて直交のベースバンド信号ＢＢ Ｑをアップコンバートする。送信器３００が、ポーラモードで動作する際、信号パス３１０．２を停止しつつ、信号パス３１０．１が局部発振信号ＬＯを用いてベースバンド振幅信号ＢＢをアップコンバートする。
【００２４】
典型的な一実施例において、ベースバンドモジュール３６０は、リニアモードにおいてＢＢ Ｉ（デジタル）を、ポーラモードにおいてＢＢ（デジタル）を生成し得る。（図示せぬ）典型的な別の一実施例において、デジタル又はアナログのスイッチング手段は、リニアモードにおいて信号パス３１０．１への入力としてＢＢ Ｉを選択し、ポーラモードにおいて信号パス３１０．１への入力としてＢＢを選択するように提供される。
【００２５】
典型的な一実施例において、ＬＯ Ｉ／ＬＯ信号は、単一の周波数シンセサイザ（図示せぬ）によって生成される。周波数シンセサイザは、リニアモードの間では、不変調（ｕｎｍｏｄｕｌａｔｅｄ）の局部発振信号（ＬＯ Ｉ）を生成し、ポーラモードの間では、変調された局部発振信号（ＬＯ）を生成するよう交互に構成されうる。
【００２６】
当業者であれば、送信器３００は、リニアモードで使用される２つの信号パスのうち１つのみを、ポーラモードにおいて有効に選択し、ポーラモードの間選択された信号パスに適切なベースバンド信号及び局部発振信号を供給することを理解するだろう。この実施は、ポーラ及びリニア動作のデュアルモードの間、図２に示すモジュール２１０、２２０のような別々のアップコンバージョンモジュールを提供する必要性を回避する。
【００２７】
図２で示す回路のいくつかの複製を回避しつつ、信号パス３１０．２によって提供された機能性も、ポーラモードにおける動作中に再使用され得る。本明細書で更に説明するように、リニアモードにおいて使用される信号パスの両方をポーラモードにおいて使用することで、ある利点が提供され得る。
【００２８】
図４は、本開示に従った送信器４００の典型的な一実施例を示す。単一のアップコンバージョンモジュール４４０は、リニア及びポーラモードの両方をサポートするよう設計される。アップコンバージョンモジュール４４０は、第１の信号パス４４０．１及び第２の信号パス４４０．２を含む。スイッチ４１０．１及び４１０．２は以下本明細書で説明するように、リニアモードまたはポーラモード間で選択するために提供される。スイッチ４２０．１及び４２０．２はリニア又はポーラモード動作間を選択するために更に提供される。
【００２９】
リニアモードにおいて、第１の信号パス４４０．１は、ベースバンドモジュール４６０から得られたＢＢ Ｉ信号にＬＯ Ｉ信号を乗算する。スイッチ４１０．１、４１０．２、４２０．１及び４２０．２は、ミキサ４０４．２の第１の差動入力をＢＢ Ｑに結合することによって、及びミキサ４０４．２の第２の差動入力をＬＯ Ｑに結合することによって、第２の信号パス４４０．２にベースバンドモジュール４６０から得られたＢＢ Ｑ信号にＬＯ Ｑ信号を乗算させるよう構成されている。
【００３０】
ポーラモードにおいて、ベースバンドモジュール４６０は、単一の差動入力ベースバンド信号ＢＢをアップコンバージョンモジュール４４０に提供する。典型的な一実施例において、別のベースバンド信号ＢＢ Ｑは、（図示せぬ）ポーラモードにおいて無効とされ得る。スイッチ４１０．１及び４１０．２は、ポーラモードにおいて、第１の信号パス４４０．１からのＢＢ信号の差動端を第２の信号パス４４０．２内のミキサ４０４．２の第１の差動入力に結合するよう構成される。更に、スイッチ４２０．１及び４２０．２は、ＬＯ信号の差動端を、ミキサ４０４．２の第２の差動入力に結合するよう構成される。このスイッチ構成を用いて、ポーラモードにおいて、ミキサ４０４．１及び４０４．２共に用いて、アップコンバージョンモジュール４４０は、信号ＢＢを局部発振信号ＬＯに混合（ｍｉｘｉｎｇ）させる。
【００３１】
当業者であれば、アップコンバージョンモジュール４４０がポーラモードにおいてＢＢ Ｑ及びＬＯ Ｑ信号のみで動作するよう設計される代替の典型的な実施例も、本開示の範囲内にあるべきだと思慮されることを認識するだろう。実際、この明細書、特許請求の範囲、及び任意の回路設計における“Ｉ”及び“Ｑ”の意味は、一般的に置き換え可能である。
【００３２】
リニアモード及びポーラモードの両方において、同一の２つの信号パスを用いることによって、送信器４００のアーキテクチャは、送信器２００及び３００のアーキテクチャ以上にあらゆる長所を提供する。少なくとも３つのミキサ１０４．１、１０４．２、及び２０４．１を必要とするデュアルモード送信器２００と比較して、例えば、送信器４００は、２つ別個のミキサ４０４．１及び４０４．２しか必要としない。これは、回路設計をより単純化するだけでなく、送信器４００によって消費されるダイ（ｄｉｅ）の面積をより少なくすることを導く。ミキサをより少なくすることで、バラン１０１．１の負荷となる寄生容量をも結果としてより少なくし得、例えば８００ＭＨｚから２ＧＨｚまでの広域の周波数レンジに渡って単一のバランの使用を可能とする。
【００３３】
更には、送信器３００と比較して、送信器４００の利点は、送信電力の等価なレベルにおいて、ポーラモードにおいて単一のミキサの信号パス３１０．１が消費する総電流の約半分を、２つの信号パス４４０．１及び４４０．２の各々は消費するだろうということである。各々の信号パス回路素子の両端の電圧降下は、各々の素子において対応する電流に関係するので、並列結合した信号パス４４０．１及び４４０．２は、ポーラモードにおいて、単一の信号パス３１０．１より少ない電源電圧ヘッドルーム（ｈｅａｄｒｏｏｍ）しか必要としない場合がある。従って、送信器４００は、送信器３００よりもより低電源電圧で有利に動作し得る。当業者であれば、信号パスのうち１つしか使用されない実施例と比較して、２つの信号パス４４０．１及び４４０．２を備えることは、ベースバンド信号ＢＢをアップコンバートするため使用されるミキサの利用可能なサイズを効果的に２倍にすることも理解できよう。
【００３４】
図５は本開示に従った別の典型的な実施例を示す。図５においてベースバンドモジュール５６０はデジタルの出力信号ＢＢ１及びＢＢ２を生成する。出力信号ＢＢ１及びＢＢ２は、デジタル−アナログ変換器５５０．１及び５５０．２によって、それぞれ、アナログベースバンド信号ＢＢ Ｉ／ＢＢ及びＢＢ Ｑ／ＢＢに変換される。リニアモードにおいて、ベースバンドモジュール５６０は、デジタル出力ＢＢ１でＢＢ Ｉのデジタルバージョンを供給し、またデジタル出力ＢＢ２でＢＢ Ｑのデジタルバージョンを供給する。ポーラモードにおいて、ベースバンドモジュール５６０はデジタル出力ＢＢ１及びＢＢ２の両方でＢＢのデジタルバージョンを供給する。ベースバンドモジュール５６０が動作モードに応じて送信器５００へのベースバンド入力を効果的に選択する際、アナログスイッチ、例えば送信器４００内のスイッチ４１０．１及び４１０．２を使用してそのような選択を実行する必要性がなくなる。
【００３５】
図６は、各種サイズを有するミキサ６４０及びＬＯバッファ６２０が、本開示の技術を実施するために提供される送信器６００を示す。各種サイズを有するミキサ及びＬＯバッファの更なる詳細は、先に本明細書で参照されたＵＳ特許出願シリアル番号１２／２０９、１６４で見出され得る。典型的な一実施例において、図６のミキサ６４０において示された拡張可能（ｓｃａｌａｂｌｅ）なミキサのアーキテクチャは、送信器４００内の各々のミキサ４０４．１及び４０４．２のために使用され得る。しかし、当業者であれば、図６を参照して記述されたミキサのアーキテクチャは、リニア及びポーラのデュアルモードで、本明細書で上述した送信器アーキテクチャを使用する必要がないこと、及び本開示の範囲は、本明細書で明示的に説明されていないミキサのアーキテクチャを包括することを思慮されていることを認識するであろう。送信器６００の信号のリード線を簡単化のために単一の線として示しつつ、図６におけるそのような単一の線は、一般的にシングルエンドまたは差動端信号のいずれかを示し得ることに留意する。
【００３６】
送信器６００において、ミキサ６４０は、サブミキサ６４０．１から６４０．Ｎで成り立ち、ＬＯバッファ６３０は、対応するサブＬＯバッファ６３０．１から６３０．Ｎで成り立つ。図示するサブミキサ６４０．１から６４０．Ｎまでの各々は、例えば差動プロセスのためのＩミキサ及び反転Ｉミキサ、並びに反転Ｑミキサと並列するＱミキサを含む複数の別個のミキサ回路（図示せぬ）を含み得ることに留意する。同様に、図示するサブＬＯバッファ６３０．１から６３０．Ｎの各々は、複数の別個のミキサ回路の各々に対する複数の別個の（図示せぬ）ＬＯバッファ回路を含み得る。
【００３７】
図６において、局部発振信号は、水晶発振器６５４に順次結合する周波数シンセサイザ６５２の出力に結合される周波数分周器６５１を含む、ＬＯ生成器６５０によって生成される。
【００３８】
図６において、サブミキサ６４０．１から６４０．Ｎ、及びサブＬＯバッファ６３０．１から６３０．Ｎは、制御信号ＥＮ．１及びＥＮ．Ｎをそれぞれ制御するベースバンドプロセッサ６１０によって選択的に有効または無効に成りうる。各々のサブミキサは、対応するバッファＬＯ信号と、ベースバンドプロセッサ６１０におけるＤＡＣ６１２から得られ、且つ選択可能なベースバンドフィルタ６２０．１から６２０．Ｎによってフィルタリングされたベースバンド信号６１２ａと、を混合させる。例えば、（図示せぬ）アンテナによる更なる送信のために、混合され、組み合わされたサブミキサの出力信号は、バラン１０１を介して増幅器１２０に結合される。
【００３９】
送信器６００において、ベースバンドプロセッサ６１０は、例えば駆動増幅器に伝達（ｄｅｌｉｖｅｒｅｄ）されるために必要とされる送信電力の総利得などを含めた基準に基づき、ミキサ、サブＬＯバッファ、及びベースバンドフィルタのうちどれを有効にするのか選択し得る。例えば、一番低い利得モードにおいて動作させるため、サブミキサ、サブＬＯバッファ、及びベースバンドフィルタを無効に保ちつつ、サブミキサ６４０．１、サブＬＯバッファ６３０．１及びベースバンドフィルタ６２０．１のみが有効とされ得る。このモードは、最小サイズのミキサとＬＯバッファとを備えた送信器６００の動作に相当し得る。一番高い利得モードで動作させるため、サブミキサ６４０．１から６４０．Ｎまでと、サブＬＯバッファ６３０．１から６３０．Ｎまで、及びベースバンドフィルタ６２０．１から６２０．Ｎまでの全てか有効になり得る。このモードは、最大サイズのミキサとＬＯバッファとを備えた送信器６００の動作に相当し得る。当業者であれば、対応する一部のサブミキサとサブＬＯバッファとを有効にすることで、中間サイズのミキサとＬＯバッファとが取得でき得ることを認識するだろう。
【００４０】
典型的な一実施例において、サブミキサ６４０．１から６４０．Ｎの各々は、送信器６００で利用できる利得のステップサイズを正確に制御させるため、名目上（ｎｏｍｉｎａｌｌｙ）同一のサイズとされ得る。
【００４１】
図７は、本開示に従った方法７００の典型的な一実施例を示す。図７に示す典型的な実施例は、単なる例示を意味し、本開示の範囲を、図示するあらゆる具体的であって典型的な実施例に限定することを意味しないことに留意する。更に図７に示すステップの順序は、開示した技術を、ステップのあらゆる特定のシーケンスに限定するものと解釈するべきではない。
【００４２】
ステップ７１０において、リニアモードで、方法は、ベースバンド直交（ＢＢ Ｑ）信号を局部発振直交（ＬＯ Ｑ）信号と、第１のミキサを用いて混合する。
【００４３】
ステップ７２０において、リニアモードで、方法は、ベースバンド同相（ＢＢ Ｉ）信号を局部発振同相（ＬＯ Ｉ）信号と、第２のミキサを用いて混合する。
【００４４】
ステップ７３０において、ポーラモードで、方法は、ベースバンド直交（ＢＢ Ｑ）信号を局部発振直交（ＬＯ Ｑ）信号と、第１のミキサを用いて混合する。
【００４５】
ステップ７４０において、ポーラモードで、方法は、ベースバンド直交（ＢＢ Ｑ）信号を局部発振直交（ＬＯ Ｑ）信号と、第２のミキサを用いて混合する。
【００４６】
ステップ７５０において、方法は、第１及び第２のミキサの出力を組み合わせ、アップコンバートされた信号を生成する。
【００４７】
本明細書で記述した技術に基づき、本明細書に記述された一態様が、あらゆる他の実施例と独立して実施され、様々な方法で２つ以上のこれら実施例が組み合わされ得ることは明白に違いない。１つまたはそれ以上の典型的な実施例では、述べられた機能はハードウェア、ソフトウェア、ファームウェア、またはその任意の組合せで実装され得る。ソフトウェアで実装される場合、それらの機能は１つまたはそれ以上の命令またはコードとして、コンピュータ読み取り可能媒体に記憶され、或いは伝送され得る。コンピュータ読み取り可能媒体は、ある場所から別の場所へのコンピュータプログラムの持ち運びを助ける任意の媒体を含むコンピュータ記憶メディア及び通信メディアの双方を含み得る。記録媒体は、コンピュータによってアクセスできる任意の利用可能な媒体であって良い。例として、これに限定するもので無いものとして、このようなコンピュータ読み取り可能媒体は、ＲＡＭ、ＲＯＭ、ＥＥＰＲＯＭ、ＣＤ−ＲＯＭまたは光ディスク媒体、磁気ディスク媒体または他の磁気記録デバイス、または命令またはデータ構造の形で所望のプログラムコードを扱いまたは保持するために使用され、そしてコンピュータによってアクセスできる他の任意の媒体を含むことが出来る。また、あらゆる接続が、適切にコンピュータ読み取り可能な媒体と呼ばれる。例えば、そのソフトウェアが同軸ケーブル、光ファイバケーブル、ツイストペア、ディジタル加入者回線（ＤＳＬ）、或いは赤外線、無線、及びマイクロ波といった無線技術を使用してウェブサイト、サーバ、または遠隔源から送信されるならば、同軸ケーブル、光ファイバケーブル、ツイストペア、ＤＳＬ、或いは赤外線、無線、及びマイクロ波といった無線技術は、媒体の定義に含まれる。本明細書で使用されるディスク（ｄｉｓｋ ａｎｄ ｄｉｓｃ）は、コンパクトディスク（ＣＤ）、レーザーディスク（登録商標）、光学ディスク、デジタルバーサタイルディスク（ＤＶＤ）、フロッピー（登録商標）ディスク、及びブルーレイディスクを含み、ディスク（ｄｉｓｋ）は、一般的に、磁気によってデータを再生し、ディスク（ｄｉｓｃ）はレーザによって光学的にデータを再生する。上記の組合せもまたコンピュータ読み取り可能な媒体の範囲内に含まれるべきである。
【００４８】
本明細書と特許請求の範囲において、１つの素子が他の素子に“に接続された”又は“に結合された”として引用される時、他の素子に直接接続され、または途中で設けられる素子を介して結合され得ると理解されるだろう。その一方で、素子が他の素子に“直接接続される”又は“直接結合する”として引用される時、途中に介入する素子は無い。
【００４９】
複数の態様及び例が記述された。しかし、これら例に対しさまざまな変形が可能であり、その上、本明細書で公開した原理は他の態様に適用し得る。これら及び他の態様は以下特許請求の範囲の範囲内とされる。  
以下に、本願出願の当初の特許請求の範囲に記載された発明を付記する。  
[1]リニアモードにおいて、ベースバンド同相（ＢＢ Ｉ）信号と局部発振同相（ＬＯ Ｉ）信号とを第１のミキサ（ｐｒｉｍａｒｙ ｍｉｘｅｒ）を用いて混合させることと、  
前記リニアモードにおいて、ベースバンド直交（ＢＢ Ｑ）信号と局部発振直交（ＬＯ Ｑ）信号とを第２のミキサ（ｓｅｃｏｎｄａｒｙ ｍｉｘｅｒ）を用いて混合させることと、  
前記リニアモードにおいて、アップコンバートされた信号を生成するため、前記第１及び第２のミキサの前記出力を組み合わせる（ｃｏｍｂｉｎｉｎｇ）ことと、  
ポーラモード（ｐｏｌａｒ）において、ベースバンド振幅（ＢＢ）信号と位相変調（ｐｈａｓｅ−ｍｏｄｕｌａｔｅｄ）局部発振（ＬＯ）信号とを前記第１のミキサを用いて混合させることと  
を具備するベースバンド信号をアップコンバートする方法。  
[2]前記ポーラモードにおいて、前記第２のミキサを停止させること、を更に具備する付記１の方法。  
[3]前記ポーラモードにおいて、前記ＢＢ信号と前記ＬＯ信号とを前記第２のミキサを用いて混合させること、を更に具備する付記１の方法。  
[4]前記リニアモードにおいて前記ＢＢ Ｑ信号と前記ＬＯ Ｑ信号とを前記第２のミキサを用いて混合させることは、前記第２のミキサの第１の差動入力を前記ＢＢ Ｑ信号に結合させること、を具備し、  
前記ポーラモードにおいて前記ＢＢ信号と前記ＬＯ信号とを前記第２のミキサを用いて混合させることは、前記第２のミキサの前記第１の差動入力を前記ＢＢ信号に結合させること、を具備する付記３の方法。  
[5]前記第２のミキサの前記第１の差動入力を前記ＢＢ Ｑ信号に結合することと、前記第２のミキサの前記第１の差動入力を前記ＢＢ信号に結合すること、はスイッチを構成させること、を具備する付記４の方法。  
[6]前記リニアモードにおいて、第１デジタル出力でデジタルベースバンド同相信号をデジタル生成することと、  
前記ポーラモードにおいて、前記第１デジタル出力でデジタルベースバンド振幅信号をデジタル生成することと、  
前記第１デジタル出力での前記デジタル信号を第１のアナログ信号に変換することと、
前記第１のアナログ信号を前記第１のミキサの第１の差動入力に結合することと、を更に具備する付記４の方法。  
[7]前記リニアモードで、第２デジタル出力においてデジタルベースバンド直交信号をデジタル生成することと、  
前記ポーラモードで、前記第２デジタルの出力においてデジタルベースバンド振幅信号をデジタル生成することと、  
前記第２デジタル出力の前記デジタル信号を第２のアナログ信号に変換することと、  
前記第２のアナログ信号を、前記第２のミキサの前記第１の差動入力に結合することと、を更に具備する付記６の方法。  
[8]前記リニアモードにおいて前記ＢＢ Ｑ信号と前記ＬＯ Ｑ信号とを前記第２のミキサを用いて混合させることは、前記第２のミキサの第２の差動入力を前記ＬＯ Ｑ信号に結合させること、を具備し、  
前記ポーラモードにおいて前記ＢＢ信号と前記ＬＯ信号とを前記第２のミキサを用いて混合させることは、前記第２のミキサの前記第２の差動入力を前記ＬＯ信号に結合させること、を具備する付記３の方法。  
[9]前記第２のミキサの前記第２の差動入力を前記ＬＯ Ｑ信号に結合することと、前記第２のミキサの前記第２の差動入力を前記ＬＯ信号に結合すること、はスイッチを構成させること、を具備する付記８の方法。  
[10]前記第１及び前記第２のミキサの前記出力を組み合わせることは、前記第１及び前記第２のミキサの差動出力を単一のバランに結合すること、を具備する付記３の方法。  
[11]前記単一のバランを用いて８００ＭＨｚから２ＧＨｚまでの周波数レンジに前記ベースバンド信号をアップコンバートすること、を更に具備する付記１０の方法。  
[12]前記第１のミキサ及び前記第２のミキサの各々は複数のサブミキサを具備し、  
前記方法は、  
必要とされる送信利得に応じて前記第１及び第２のミキサの前記サブミキサの少なくとも１つを選択的に有効にすること、を更に具備する付記３の方法。  
[13]前記複数のサブミキサの各々の前記第２の入力が、対応する局部発振バッファに結合され、  
前記方法は、  
必要とされる送信利得に応じて前記局部発振バッファの少なくとも１つを選択的に有効にすること、を更に具備する付記１２の方法。  
[14]前記複数のサブミキサの各々は、名目（ｎｏｍｉｎａｌ）上、同一のサイズを有する付記１２の方法。  
[15]リニアモードで、ベースバンド同相（ＢＢ Ｉ）信号と局部発振同相（ＬＯ Ｉ）信号とを混合するよう構成され、ポーラモードで、ベースバンド振幅（ＢＢ）信号と位相変調（ｐｈａｓｅ−ｍｏｄｕｌａｔｅｄ）局部発振（ＬＯ）信号とを混合させるよう更に構成された第１のミキサ（ｐｒｉｍａｒｙ ｍｉｘｅｒ）と、  
前記リニアモードで、ベースバンド直交（ＢＢ Ｑ）信号と局部発振直交（ＬＯ Ｑ）信号とを混合させるよう構成された第２のミキサ（ｓｅｃｏｎｄａｒｙ ｍｉｘｅｒ）と  
を具備するベースバンド信号をアップコンバートするための装置。  
[16]前記第２のミキサは、前記ポーラモードにおいて、前記ＢＢ信号と前記ＬＯ信号とを混合させるよう更に構成される付記１５の装置。  
[17]前記第１及び第２のミキサの前記出力に結合されるバランを更に具備する付記１６の装置。  
[18]前記第２のミキサは、前記リニアモードにおいて前記ＢＢ Ｑ信号に結合され、前記ポーラモードで前記ＢＢ信号に結合される第１の差動入力を具備する付記１５の装置。  
[19]前記リニアモードで、前記第２のミキサの前記第１の差動入力を、前記ＢＢ Ｑ信号に結合させ、前記ポーラモードで、前記ＢＢ信号に結合させるスイッチを更に具備する付記１８の装置。  
[20]前記リニアモードにおいて、第１デジタル出力でデジタルベースバンド同相信号をデジタル生成し、  
前記ポーラモードにおいて、前記第１デジタル出力でデジタルベースバンド振幅信号をデジタル生成するよう構成されたデジタルモジュールを更に具備し、  
前記装置は、  
前記第１デジタル出力において、前記デジタル信号を、前記第１のミキサの第１の差動入力と結合される第１のアナログ信号へと変換する第１のデジタル−アナログ変換器  
を更に具備する付記１８の装置。  
[21]前記リニアモードにおいて、第２デジタル出力でデジタルベースバンド直交信号をデジタル生成し、  
前記ポーラモードにおいて、前記第２デジタル出力で前記デジタルベースバンド振幅信号をデジタル生成するよう構成されたデジタルモジュールを更に具備し、  
前記装置は、  
前記第２デジタル出力において、前記デジタル信号を前記第２のミキサの前記第１の差動入力に結合する第２のアナログ信号へと変換する第２のデジタル−アナログ変換器を  
更に具備する付記２０の装置。
[22]前記第２のミキサは、前記リニアモードにおいて前記ＬＯ Ｑに結合し、前記ポーラモードにおいて前記ＬＯ信号に結合する第２の差動入力を具備する付記１５の装置。  
[23]前記リニアモードにおいて前記ＬＯ Ｑ信号を、前記ポーラモードにおいて前記ＬＯ信号を、前記第２のミキサの前記第２の差動入力に結合するスイッチを更に具備する付記２２の装置。  
[24]前記バランは、８００ＭＨｚから２ＧＨｚまでの周波数レンジにおいて動作するよう構成される付記１５の装置。  
[25]前記第１のミキサ及び前記第２のミキサの各々は、複数のサブミキサを具備し、  
前記装置は、  
必要とされる送信利得に応じて、前記第１及び前記第２のミキサの前記サブミキサのうち少なくとも１つを選択的に有効とするよう構成される付記１５の装置。  
[26]前記複数のサブミキサの各々の前記第２入力は、対応する局部発振バッファに結合され、  
前記装置は、  
前記必要とされる送信利得に応じて前記局部発振バッファの少なくとも１つを選択的に有効とするよう更に構成される付記２５の装置。  
[27]前記複数のサブミキサの各々は、名目（ｎｏｍｉｎａｌ）上同一のサイズとされる付記２５の装置。  
[28]リニアモードにおいて、ベースバンド同相（ＢＢ Ｉ）信号を局部発振同相（ＬＯ Ｉ）信号と混合させ、ポーラモードにおいて、ベースバンド振幅（ＢＢ）信号と局部発振（ＬＯ）信号とを混合させる第１手段（ｐｒｉｍａｒｙ ｍｅａｎｓ）と、  
リニアモードにおいて、ベースバンド直交（ＢＢ Ｑ）信号と局部発振直交（ＬＯ Ｑ）信号とを混合し、前記ポーラモードにおいて前記ＢＢ信号と前記ＬＯ信号とを混合させる第２手段（ｓｅｃｏｎｄａｒｙ ｍｅａｎｓ）と  
を具備するベースバンド信号をアップコンバートするための装置。  
[29]アップコンバートされた信号を生成するため前記第１及び第２手段による前記出力を組み合わせる手段を更に具備する付記２８の装置。  
[30]送信器にベースバンド信号をアップコンバートするよう指示するコンピュータプログラム製品であって、  
前記送信器は、  
第１のベースバンド信号と第１の局部発振信号とを乗算する第１のミキサ（ｐｒｉｍａｒｙ ｍｉｘｅｒ）と、第２のベースバンド信号と第２の局部発振信号とを乗算する第２のミキサ（ｓｅｃｏｎｄａｒｙ ｍｉｘｅｒ）とを具備し、  
前記製品は、  
前記リニアモードにおいてコンピュータに第１のベースバンド信号としてベースバンド同相信号をデジタル生成させるためのコードと、前記ポーラモードにおいて、コンピュータに第１のベースバンド信号としてベースバンド振幅信号をデジタル生成させるコードと、を具備するコンピュータ読み取り可能な媒体を  
具備するコンピュータプログラム製品。  
[31]前記リニアモードにおいてコンピュータに前記第２のベースバンド信号としてデジタルのベースバンド直交信号をデジタル生成させるコードと、前記第ポーラモードにおいて、コンピュータに前記第２のベースバンド信号としてデジタルのベースバンド振幅信号をデジタル生成させるコードとを具備する、コンピュータ読み取り可能な媒体を  
更に具備する付記３０のコンピュータプログラム製品。
【図１】
0005242806.tif 000002
【図２】
0005242806.tif 000003
【図３】
0005242806.tif 000004
【図４】
0005242806.tif 000005
【図５】
0005242806.tif 000006
【図６】
0005242806.tif 000007
【図７】
0005242806.tif 000008